(57)【要約】【課題】バックライトに流れる出力電圧の値を基に基板に発生するリーク電流の防止をすることが可能なバックライト用電源基板、および上記バックライト用電源供給回路を使用した液晶テレビジョンの提供を目的とする。【解決手段】本考案のバックライト用電源供給回路１９は、電圧低下検出手段２３はバックライトの出力電圧をしきい値２３ｄと比較することで同出力電圧の低下を検出し、リーク電流防止手段１２ａは、電圧低下検出手段２３が出力電圧の低下を検出した場合は、他励式インバータ回路２０からのバックライト１３ｃへの電圧供給を停止する。このため、バックライト１３ｃの出力電圧に基づいて、リーク電流の発生における基板の損傷を防止するので、消費電流の少ない回路に対しても簡易な構造でリーク電流防止機能を構成することができる。【選択図】図３
0003122962.tif 000002
【実用新案登録請求の範囲】
【請求項１】
チューナ部が受信したテレビジョン電波を基に映像信号と音声信号を生成するとともに、マイコンを有する制御部にて制御を行うディジタル基板と、
上記映像信号を基にバックライトからの光源を透過させて映像を表示する液晶ディスプレイと、
上記音声信号を基に音声を出力するスピーカと、
コンセントより供給された交流電源を整流回路により整流し、上記整流した電源を基に所定の電圧に変換し、上記ディジタル基板と、上記液晶ディスプレイとに上記変換した電源を供給するアナログ基板とを有する液晶テレビジョンにおいて、
上記アナログ基板は、
上記整流された電源を基に上記バックライトの駆動に必要な電圧を変換する他励式インバータ回路と、
上記他励式インバータ回路が変換した出力電圧を、逐電コンデンサに逐電することで上記バックライトに出力電圧を供給するバックライト駆動回路と、
上記バックライトに印加される過電圧を検出する過電圧検出回路と、
上記逐電コンデンサの分圧を検出電圧として、同検出電圧をダイオードと平滑コンデンサとで構成された平滑回路にて平滑化した後、オペアンプを介してしきい値電圧と比較することで同検出電圧の低下を検出するとともに、同出力電圧が上記しきい値電圧よりも小さい場合は、同オペアンプからリーク電流検出信号を出力するリーク電流検出回路とを有し、
上記制御部は、上記過電圧検出回路が過電圧を検出した場合には、上記他励式インバータ回路に上記バックライトに出力する出力電圧を規定電圧にするようフィードバック制御を行い、上記リーク電流検出回路からリーク電流検出信号が出力された場合は、上記他励式インバータ回路からのバックライトへの電圧供給を停止することを特徴とする液晶テレビジョン。
【請求項２】
他励式インバータ方式の電源回路を用いてバックライトに所定の電源を供給するバックライト用電源供給回路において、
バックライトの出力電圧をしきい値と比較することで同出力電圧の低下を検出する電圧低下検出手段と、
上記電圧低下検出手段が出力電圧の低下を検出した場合は、上記他励式インバータ回路からのバックライトへの電圧供給を止めるリーク電流防止手段とを有することを特徴とするバックライト用電源供給回路。
【請求項３】
上記電圧低下検出手段は、上記出力電圧をオペアンプを用いてしきい値電圧と比較することで出力電圧の低下を検出することを特徴とする請求項２に記載のバックライト用電源供給回路。
【請求項４】
上記バックライト用電源供給回路は、過電圧を検出するための過電圧検出回路と、
上記過電圧検出回路からの信号電圧を基に他励式インバータ回路を制御するためのフィードバック制御部とを有し、
上記リーク電流防止手段は、上記フィードバック制御部にリーク電流検出信号を出力することで他励式インバータ回路の電圧の出力を停止することを特徴とする請求項２または請求項３のいずれかに記載のバックライト用電源供給回路。  
【考案の詳細な説明】
【技術分野】
【０００１】
本考案は、バックライト用電源供給回路に関し、特に、他励式インバータ回路の電圧制御を行うバックライト用電源供給回路、および上記バックライト用電源供給回路を使用する液晶テレビジョンに関する。
【背景技術】
【０００２】
インバータ方式の電源回路は、交流の商用電源を整流回路にて直流電源に変換し、上記変換した直流電源をトランジスタ等のスイッチ作用により所定の交流電源に変換する。また、インバータ方式の電源回路は、大電圧小電流であるため消費電力が少なく液晶テレビのバックライトの電源供給用にも使用されている。図５はバックライト用電源基板を示す図である。同図より、バックライト用電源供給回路は、交流電源を整流する整流回路１と、整流回路１にて整流された電源を基に所定の電源電圧を生成するとともに、バックライト４に電源を供給する他励式インバータ回路２とを有する構成である。
【０００３】
上記したバックライト用電源供給回路は、バックライト４に流れる過電圧を過電圧検出回路５にて監視しており、バックライト４に過電圧が流れた場合には直ちに制御部６にて他励式インバータ回路２にフィードバックを掛ける仕組みになっている。しかしながら、バックライト４に電源を供給するラインにホコリ等が溜まると、上記ホコリを介してリーク電流が流れる場合がある。リーク電流が増大すると、消費電力が大きくなってしまい、発熱量も増えて回路を焦げつかせるなどして基板を破損させる原因になっていた。
【０００４】
しかしながら、基板にリーク電流が流れると、バックライト４に出力電圧を供給するための逐電コンデンサの電圧は低下する。このため、上記した過電圧検出回路５ではリーク電流の発生を防止することができなかった。
【０００５】
バックライトに流れる出力電圧の低下を検出する方法として、バックライト用電源基板に管電流検出回路を設けて、出力電圧の低下にともなう電流の増加を検出する方法が開示されている（例えば、特許文献１参照。）。
【特許文献１】特開平０５−２２６０８４号
【考案の開示】
【考案が解決しようとする課題】
【０００６】
上述した特許文献１の考案は、次のような課題があった。つまり、インバータ方式の電源回路は大電圧小電流を特徴としているため、出力電圧の低下を電流を用いて検出する場合、微細な電流値の変化を検出することとなる。そのため、電流を検出するための回路の調整が難しかった。
【０００７】
本考案は、上記課題にかんがみてなされたもので、バックライトに流れる出力電圧の値を基に基板に発生するリーク電流の防止をすることが可能なバックライト用電源基板、および上記バックライト用電源供給回路を使用した液晶テレビジョンの提供を目的とする。
【課題を解決するための手段】
【０００８】
上記課題を解決するために、本考案の請求項１にかかる考案では、チューナ部が受信したテレビジョン電波をもとに映像信号と音声信号を生成するディジタル基板と、上記映像信号を基にバックライトからの光源を透過させて映像を表示する液晶ディスプレイと、上記音声信号を基に音声を出力するスピーカと、コンセントより供給された交流電源を整流回路により整流し、上記整流した電源を基に所定の電圧に変換し、上記ディジタル基板と、上記液晶ディスプレイとに上記変換した電源を供給するアナログ基板とを有する液晶テレビジョンにおいて、
上記アナログ基板は、上記整流された電源を基に上記バックライトの駆動に必要な出力電圧に変換する他励式インバータ回路と、上記他励式インバータ回路が変換した出力電圧を、逐電コンデンサに逐電することで上記バックライトに供給するバックライト駆動回路と、上記バックライトに印加される過電圧を検出する過電圧検出回路と、上記逐電コンデンサの分圧を検出電圧として、同検出電圧をダイオードと平滑コンデンサとで構成された平滑回路にて平滑化した後、オペアンプを介してしきい値電圧と比較することで同検出電圧の低下を検出するとともに、同検出電圧が上記しきい値電圧よりも小さい場合は、同オペアンプからリーク電流検出信号を出力するリーク電流検出回路とを有し、上記制御部は、上記過電圧検出回路が過電圧を検出した場合には、上記他励式インバータ回路に上記バックライトに出力する出力電圧を規定電圧にするようフィードバック制御を行い、  上記リーク電流検出回路からリーク電流検出信号が出力された場合は、上記他励式インバータ回路からのバックライトへの電圧供給を停止する構成としている。
【０００９】
上記のように構成した請求項１にかかる考案においては、バックライトに電源を供給するためのバックライト用電源供給回路をアナログ基板上に配置した液晶テレビジョンに関するものである。バックライト用電源供給回路は、他励式の他励式インバータ回路にて、バックライトの出力電圧を生成する。このとき、バックライト用電源供給回路は、オペアンプを用いて、上記バックライトの出力電圧をしきい値電圧と比較するリーク電流検出回路を有する。上記したリーク電流検出回路は、リーク電流の発生を出力電圧の低下を基に検出する回路であり、検出電圧が比較電圧よりも小さいとオペアンプが判断した場合は、同オペアンプから出力されるリーク電流検出信号により制御部は上記他励式インバータ回路の出力電圧のバックライトへの供給をストップする。上記制御部は、バックライトの過電圧検出も同時に行っており、フィードバック制御部を二回路に併用することにより回路をシンプルにする。
【００１０】
また、上記目的を達成するために、請求項２に記載のバックライト用電源供給回路では、インバータ方式の電源回路を用いてバックライトに所定の電源を供給するバックライト用電源供給回路において、バックライトの出力電圧をしきい値と比較することで同出力電圧の低下を検出する電圧低下検出手段と、上記電圧低下検出手段が出力電圧の低下を検出した場合は、上記他励式インバータ回路からのバックライトへの電圧供給を止めるリーク電流防止手段とを有する構成としてある。
【００１１】
上記のように構成した請求項２にかかる考案において、電圧低下検出手段が、バックライトへ出力する出力電圧の低下を検出すると、上記リーク電流防止手段は、他励式インバータ回路からのバックライトへの電圧供給を停止する。
【００１２】
そして、請求項３にかかる考案では、請求項２に記載のバックライト用電源供給回路において、上記電圧低下検出手段は、上記出力電圧をオペアンプを用いてしきい値電圧と比較することで出力電圧の低下を検出する構成としてある。
【００１３】
上記のように構成した請求項３にかかる考案において、電圧低下検出手段は、上記出力電圧としきい値電圧をオペアンプを用いて比較することにより、バックライトの出力電圧の低下を検出する。
【００１４】
さらに、請求項４にかかる考案では、請求項２または請求項３のいずれかに記載のバックライト用電源供給回路において、上記バックライト用電源供給回路は、過電圧を検出するための過電圧検出回路と、上記過電圧検出回路からの信号電圧を基に他励式インバータ回路を制御するためのフィードバック制御部とを有し、上記リーク電流防止手段は、上記フィードバック制御部にリーク電流検出信号を出力することで他励式インバータ回路の電圧の出力を停止する構成としてある。
【００１５】
上記のように構成した請求項４にかかる考案において、上記リーク電流防止手段は、過電圧検出手段のフィードバック制御部を流用するとともに、上記フィードバック制御部にリーク電流検出信号を出力することで他励式インバータ回路の電圧の停止を停止する。
【考案の効果】
【００１６】
以上説明したように本考案によれば、バックライトの出力電圧を基にリーク電流を防止するので、消費電流の低い回路にも対応した簡易な構造の検出手段を構成することができる。
また請求項３にかかる考案によれば、検出手段にオペアンプを使用するので市販の回路素子を組み合わせた安価な検出手段を構成することができる。
そして請求項４にかかる考案によれば、過電圧検出用のフィードバック制御回路の一部を流用するので検出手段を簡易な構造で構成することができる。
さらに請求項１のような、より具体的な構成において、上述した請求項２〜請求項４の各考案と同様の作用を奏することはいうまでもない。
【考案を実施するための最良の形態】
【００１７】
本考案のバックライト用電源供給回路の具体的な説明として、上記バックライト用電源供給回路を使用する液晶テレビジョンを基に説明する。以下、下記の順序に従って本考案の実施形態を説明する。
（１）液晶テレビジョンの構成
（２）バックライト用電源供給回路の構成
（４）まとめ：
【００１８】
（１）液晶テレビジョンの構成 
以下、図１、２、３を参照して、この考案に係る液晶テレビジョンを具体化した第１の実施の形態について説明する。図１は本考案の液晶テレビジョン１０のブロック構成図である。同図より、液晶テレビジョン１０は、ディジタル基板１１と、アナログ基板１４と、液晶ディスプレイ１３と、スピーカ１５と、上記各部品を収容する筐体１６と、さらにはリモコン１８とから構成されている。以下に各部品の機能について説明していく。
【００１９】
ディジタル基板１１には、チューナ部１１ａと、映像信号処理部１１ｂと、音声信号処理部１１ｃと、制御部１２とを有する構成である。図１より、ディジタル基板１１内の各構成要素は、バス１１ｄにて制御部１２と結ばれ、制御部１２の制御のもと各機能を実施している。制御部１２は、制御中枢としてのマイコン１２ａと、ＲＯＭやＲＡＭ等の記録部１２ｂと、リモコン１８からの操作信号を受入れるリモコンＩ／Ｆ１２ｃ、さらにはＯＳＤ映像を生成するためのＯＳＤ部１２ｄを有する構成である。リモコン１８の操作キーの操作により赤外線信号がリモコンＩ／Ｆ１２ｃに送信されると、リモコンＩ／Ｆ１２ｃは、上記受入れた赤外線信号を所定の電圧を有する操作信号に変換しマイコン１２ａに出力する。マイコン１２ａは、上記リモコンＩ／Ｆ１２ｃからの操作信号を受け取って、記録部１２ｂに記録された制御プログラムを基にバス１１ｄを介してディジタル基板１１上の各要素に制御信号を出力する。
【００２０】
チューナ部１１ａは、制御部１２からの操作信号を受け入れると、アンテナ１１ａ１が受信したテレビジョン電波の特定の周波数帯のみを選択し、上記選択された特定周波数帯のテレビジョン電波を基に映像信号と音声信号を生成するクロマ制御を行う。上記生成された映像信号は映像信号処理部１１ｂへ送られ、音声信号は音声信号処理部１１ｃへ送られる。本考案のチューナ部１１ａとしてはアナログ放送を受信するものであってもよいし、アナログ放送とディジタル放送の双方を受信する物、さらにはディジタル放送のみを受信するものであってもよい。
【００２１】
映像信号処理部１１ｂは、上記生成された映像信号を受け入れ、画面を構成するためのＲＧＢの各階調に対応するＲＧＢ信号を生成するとともに、上記生成したＲＧＢ信号に所定の信号処理を行う。さらに、後述する液晶パネル１３ｂの画素数に対応するよう上記ＲＧＢ信号を分解し液晶パネル１３ｂに出力する。
【００２２】
音声信号処理部１１ｃは、上記生成された音声信号を受け入れ、制御部１２からの制御信号に基づいて、上記音声信号を増幅等の信号処理を行う。信号処理を施された音声信号は、その後スピーカ１５に出力され音声として出力される。
【００２３】
液晶ディスプレイ１３は、液晶物質を充填した画素をマトリクス状に配置した液晶パネル１３ｂと、上記液晶パネル１３ｂに駆動電圧を印加する駆動回路１３ａと、液晶パネル１３ｂの背面から光を照らすバックライト１３ｃとを有する構成である。駆動回路１３ａは、映像信号処理部１１ｂにより液晶パネル１３ｂの各画素に対応して分割されたＲＧＢ信号を基に液晶パネル１３ｂの所定の画素に対して行ごとに印加電圧である駆動電圧を印加していく。液晶パネル１３ｂは、駆動電圧により分子の配列が変化する液晶物質を充填した画素をマトリクス状に配置している。上記した画素はＲＧＢの各色に対応する画素を一組として有しており、駆動回路１３ａからの印加電圧により特定の画素のバックライトからの光の透過率を変化させることでＲＧＢの各階調を変化させカラー画面を表示する。
【００２４】
バックライト１３ｃは、上述したように液晶パネル１３ｂの背後より光を当てて、画素が透過する光の光源として利用される。バックライト１３ｃが使用する蛍光管としては冷陰極間等が挙げられ、形状はＵ字管や、直管、さらには擬似Ｕ字管を使用してもよい。
【００２５】
アナログ基板１４は、上述したディジタル基板１１や、液晶ディスプレイ１３に必要な電源を供給する電源回路を実装する。図２はアナログ基板のブロック構成図を表す図である。同図より、アナログ基板１４は、整流回路１４ａ、メイントランス１４ｂ、電源供給回路１４ｃ、１４ｄ、１４ｅを有する構成である。コンセント１７から供給された商用１００Ｖ交流電源は、整流回路１４ａにて全波整流されて直流電源に変換された後、メイントランス１４ｂの一次側コイル１４ｂ１に印加される。本考案の整流回路１４ａは、ダイオードを用いたブリッジ回路等が上げられる。メイントランス１４ｂの一次側コイル１４ｂ１の反対側には、巻き線比の異なる二次側コイル１４ｂ２が配置され相互誘導により二次側コイル１４ｂ２に起電力が発生する。また、二次側コイル１４ｂ２には分圧によって上記起電力を各ＤＣ／ＤＣコンバータである電源供給回路１４ｃ、１４ｄ、１４ｅに出力する。電源供給回路１４ｃ、１４ｄ、１４ｅでは、チョッパ回路や、ドロッパ方式の回路により上記分圧した起電力を昇圧、または減圧して必要な電源電圧をディジタル基板１１や液晶ディスプレイ１３に供給する。
【００２６】
（２）バックライト用電源供給回路の構成
図３は、バックライト１３ｃに電源を供給するための電源供給回路であるバックライト用電源供給回路の構成図である。同図よりバックライト用電源供給回路１９は、他励式インバータ回路２０と、バックライト駆動回路２２と、過電圧検出回路２４と、リーク電流検出回路（電圧低下検出手段）２３ととから構成されている。他励式インバータ回路２０は、整流回路１４ａから出力される直流電圧を二次側コイル１４ｂ２からの分圧により受け取り、トランジスタのスイッチング動作を用いて所定の電圧値を有する交流電圧を生成する。本考案の一実施形態としての他励式インバータ回路２０は他励式インバータ回路を使用する。
【００２７】
他励式インバータ回路２０により生成された交流電圧はトランス２１の一次側コイル２１ａに印加される。トランス２１の一次側コイル２１ａの反対側には二次側コイル２１ｂ、２１ｃが配置されており相互誘電により二次側コイル２１ｂ、２１ｃに起電力が印加される。このとき、交流電圧の正の周波数側は二次側コイル２１ｂに印加されるとともに、逐電コンデンサ２２ａ、２２ｂに逐電され正の周期の出力電圧を生じさせる。また、負の周期の交流電圧は二次側コイル２１ｃに印加されるとともに、逐電コンデンサ２２ｃ、２２ｄに印加され負の周期の出力電圧を生じさせる。
【００２８】
また、バックライト１３ｃに過電圧が印加されるのを防止するために、バックライト用電源供給回路１９は過電圧検出回路２４を有している。過電圧検出回路２４は、逐電コンデンサ２２ｃ、２２ｄ間の分圧電圧を検出し、上記検出した電圧値に基づいてマイコン１２ａに過電圧検出信号を出力する。マイコン１２ａは上記過電圧検出信号を受入れると、他励式インバータ回路２０がトランス２１に印加する電圧を規定電圧まで減圧するよう指示を出すことでフィードバックを実現する。本考案の一実施形態のマイコン１２ａとしてはマイコンを使用し他励式インバータ回路２０を制御するが、所定のロジック回路を実装したＩＣチップを使用してもよい。また、ディジタル基板１１に実装されたマイコン１２ａを利用してフィードバックを実行してもよい。
【００２９】
また、バックライト用電源供給回路１９は、リーク電流の発生を検出するリーク電流検出回路２３を有している。リーク電流検出回路２３は、漏れ電流であるリーク電流が発生した際、逐電コンデンサ２２ａ、２２ｂの出力電圧が規定電圧よりも減圧する現象を利用している。リーク電流検出回路２３は、オペアンプ２３ａと、しきい値用電源２３ｄと、ダイオード２３ｂと平滑コンデンサ２３ｃにて構成した平滑回路とから構成されている。
【００３０】
以下に各要素の機能と全体的な動作を説明する。オペアンプ２３ａのマイナス側はバックライト駆動回路２２の逐電コンデンサ２２ａ、２２ｂ間にダイオード２３ｂと平滑コンデンサ２３ｃとを介して接続し、逐電コンデンサ２２ａ、２２ｂ間の分圧値をしきい値用電源２３ｄのしきい値電圧と比較する。ダイオード２３ｂと平滑コンデンサ２３ｃは、逐電コンデンサ２２ａ、２２ｂ間の分圧を平滑して一定の電圧に整えるものである。本考案の一実施形態のしきい値用電源２３ｄのしきい値電圧は、直流の７００ｍＶ〜８００ｍＶを使用する。しきい値用電源２３ｄの電圧値は上記値に限られず、電源回路の特性に合わせて決めるのが望ましい。
【００３１】
オペアンプ２３ａの出力側はマイコン１２ａと接続されており、オペアンプ２３ａから出力されるリーク電圧検出信号に基づいて、他励式インバータ回路２０の交流電圧の生成を停止する。本考案の一実施形態では、他励式インバータ回路２０はＩＣ回路によりインバータ制御を実現しているのでマイコン１２ａは、ＩＣ回路のスタート信号の出力を停止させることにより他励式インバータ回路２０の電圧の出力を停止させる。他励式インバータ回路２０の電圧出力の停止方法としては、上記方法に限らず、マイコン１２ａからの他励式インバータ回路停止信号をトランジスタのベースに接続するものであってもよい。
【００３２】
以下図４を用いてバックライト用電源供給回路の電圧の流れを図示する。バックライト１３ｃに逐電コンデンサ２２ａ、２２ｂ、２２ｃ、２２ｄを介して出力電圧が供給され始めると、逐電コンデンサ２２ａ、２２ｂに逐電される出力電圧の正の周期の半波整流を検出電圧として分圧されて出力されるとともに、ダイオード２３ｂと平滑コンデンサ２３ｃにより平滑化され、オペアンプ２３ａのマイナス側に入力される。図４の上段のグラフは、時間Ｔに対するオペアンプ２３ａのマイナス側に入力される電圧値である。また、図中点線で表された電圧値は７００ｍＶを示す。同図よりＴ０〜Ｔ１の間では、オペアンプ２３ａのマイナス側に入力される検出電圧は、７００ｍＶ以上であるので、オペアンプ２３ａはリーク電流検出信号を出力せず、他励式インバータ回路２０は駆動用電圧をトランス２１に出力する。
【００３３】
次に、時間Ｔ１を越えてオペアンプ２３ａに入力された検出電圧の値が７００ｍＶ以下になると、オペアンプ２３ａはリーク電流出力信号をマイコン１２ａに出力する。図４の中段は時間Ｔに対するオペアンプが出力するリーク電流検出信号を示す図である。時間Ｔ１にて検出電圧の分圧値が７００ｍＶを下回ると、オペアンプ２３ａは所定の電圧を有するリーク電流検出信号を出力する。上記したリーク電流検出信号の電圧値は、マイコン１２ａの受信電圧に基づいて決定されればよい。
【００３４】
マイコン１２ａは同リーク電流検出信号を受け取ると他励式インバータ回路２０のＩＣ回路のスタート信号を停止させ、トランス２１に流れる電流を停止させる。図４の下段は、時間Ｔに対するフィードバック制御部から出力される他励式インバータ回路停止信号の出力を表す図である。同図より、時間Ｔ２にて、オペアンプ２３ａから出力されるリーク電流検出信号が所定の値を超えると、マイコン１２ａは、他励式インバータ回路２０の電圧出力を停止する他励式インバータ回路停止信号を出力する。これによりバックライト１３ｃには電流が流れずリーク電流によるバックライト１３ｃ付近の焦げ付きによる基板の破損を事前に防止することが可能となる。
【００３５】
（３）まとめ
本考案のバックライト用電源供給回路１９は、電圧低下検出手段２３はバックライトの出力電圧をしきい値２３ｄと比較することで同出力電圧の低下を検出し、リーク電流防止手段１２ａは、電圧低下検出手段２３が出力電圧の低下を検出した場合は、他励式インバータ回路２０からのバックライト１３ｃへの電圧供給を停止する。このため、バックライト１３ｃの出力電圧に基づいて、リーク電流の発生における基板の損傷を防止するので、簡易な構造でリーク電流防止機能を構成することができる。また、リーク電流を検出するための回路を市販のオペアンプ２３ａにて構成するとともに、過電圧検出回路用のマイコン１２ａを流用するので回路を簡略化して構成し易くすることが可能となる。
回路に併用することにより回路をシンプルにする。
【００３６】
また、上記目的を達成するために、請求項２に記載のバックライト用電源供給回路では、インバータ方式の電源回路を用いてバックライトに所定の電源を供給するバックライト用電源供給回路において、バックライトの出力電圧をしきい値と比較することで同出力電圧の低下を検出する電圧低下検出手段と、上記電圧低下検出手段が出力電圧の低下を検出した場合は、上記他励式インバータ回路からのバックライトへの電圧供給を止めるリーク電流防止手段とを有する構成としてある。
【００３７】
上記のように構成した請求項２にかかる考案において、電圧低下検出手段が、バックライトへ出力する出力電圧の低下を検出すると、上記リーク電流防止手段は、他励式インバータ回路からのバックライトへの電圧供給を停止するので、消費電流の低い簡易な構造の検出手段を構成することができる。
【００３８】
そして、請求項３にかかる考案では、請求項２に記載のバックライト用電源供給回路において、上記電圧低下検出手段は、上記出力電圧をオペアンプを用いてしきい値電圧と比較することで出力電圧の低下を検出する構成としてある。
【００３９】
上記のように構成した請求項３にかかる考案において、電圧低下検出手段は、上記出力電圧としきい値電圧をオペアンプを用いて比較することにより、バックライトの出力電圧の低下を検出するので、市販の回路素子を組み合わせた安価な検出手段を構成することができる。
【００４０】
さらに、請求項４にかかる考案では、請求項２または請求項３のいずれかに記載のバックライト用電源供給回路において、上記バックライト用電源供給回路は、過電圧を検出するための過電圧検出回路と、上記過電圧検出回路からの信号電圧を基に他励式インバータ回路を制御するためのフィードバック制御部とを有し、上記リーク電流防止手段は、上記フィードバック制御部にリーク電流検出信号を出力することで他励式インバータ回路の電圧の出力を停止する構成としてある。
【００４１】
上記のように構成した請求項４にかかる考案において、上記リーク電流防止手段は、過電圧検出手段のフィードバック制御部を流用するとともに、上記フィードバック制御部にリーク電流検出信号を出力することで他励式インバータ回路の電圧の停止を停止するため、過電圧検出用のフィードバック制御回路の一部を流用するので検出手段を簡易な構造で構成することができる。
【００４２】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４３】
【図１】液晶テレビジョンのブロック構成図である。
【図２】アナログ基板のブロック構成図である。
【図３】バックライト用電源供給回路の構成図である。
【図４】各信号を表す図である。
【図５】従来のバックライト用電源供給回路の図である。
【符号の説明】
【００４４】
１０…液晶テレビジョン、１１…ディジタル基板、１１ａ…チューナ部、１１ｂ…映像信号処理部、１１ｃ…音声信号処理部、１１ｄ…バス、１１ａ１…アンテナ、１２…制御部、１２ａ…マイコン、１２ｂ…記録部、１２ｃ…リモコンＩ／Ｆ、１２ｄ…ＯＳＤ部、１３…液晶ディスプレイ、１３ａ…駆動回路、１３ｂ…液晶パネル、１３ｃ…バックライト、１４…アナログ基板、１４ａ…整流回路、１４ｂ…メイントランス、１４ｃ…電源供給回路、１４ｄ…電源供給回路、１４ｅ…電源供給回路、１４ｂ１…一次側コイル、１４ｂ２…二次側コイル、１５…スピーカ、１６…筐体、１７…コンセント、１８…リモコン、１９…バックライト用電源供給回路、２０…他励式インバータ回路、２１…トランス、２１ａ…一次側コイル、２１ｂ…二次側コイル、２１ｃ…二次側コイル、２２…バックライト駆動回路、２２ａ…逐電コンデンサ、２２ｂ…逐電コンデンサ、２２ｃ…逐電コンデンサ、２２ｄ…逐電コンデンサ、２３…リーク電流検出回路、２３ａ…オペアンプ、２３ｂ…ダイオード、２３ｃ…平滑コンデンサ、２３ｄ…しきい値用電源、２４…過電圧検出回路
【図１】
0003122962.tif 000003
【図２】
0003122962.tif 000004
【図３】
0003122962.tif 000005
【図４】
0003122962.tif 000006
【図５】
0003122962.tif 000007